(57)【特許請求の範囲】
【請求項１】
ボウルから延びる排水管部に固定された固定端部と、駆動源からの回転力が伝達されて上下方向に回転可能とされた自由端部とを有する封水トラップが配設された便器排水装置において、
前記封水トラップは排水部が形成される略矩形状の基部を下方に備えるケース本体部に収納されるとともに、前記ケース本体部の基部は、床面上に設けられる排水アジャスタの排水口が形成された略矩形フランジ状の受部の上に固着され、
前記ケース本体部を前記排水アジャスタに固着する際の位置決めガイドとしての凸部が前記ケース本体部の基部および前記排水アジャスタの受部のうち一方の外縁の四隅に垂直方向に突出して設けられるとともに、前記凸部と当接する凹部が前記ケース本体部の基部および前記排水アジャスタの受部のうち他方の外縁の四隅に設けられ、
前記凸部は前記凹部に沿ってガイド挿入される湾曲面を備えることを特徴とする便器排水装置。
【発明の詳細な説明】
【技術分野】
【０００１】
本発明は便器排水装置に関し、詳しくは、便器排水装置を排水アジャスタに固着する際にピンポイントの位置決めが確実にできる技術に関する。
【背景技術】
【０００２】
従来、特にリフォーム用の便器を床上に固着する際に便器排水装置を外部配水管に導くために排水アジャスタが用いられる。このとき、便器排水装置を排水アジャスタに確実に位置決めしないと接合部に備えられているパッキンのシール性が悪くなり水漏れが発生するという問題がある。
【０００３】
このような問題を解決するための便器排水装置の位置決め構造が特許文献１に開示されている。特許文献１には、図５（ａ）、（ｂ）に示すように、便器１の排水口２を床フランジ接続部Ａの筒部３にはめ込む際に、筒部３の上端部にはゴム製のパッキン３０を嵌込み、パッキン３０を便器１の排水口２の外周部に弾接することで気密性を確保している。
【０００４】
ここで、パッキン３０は環状をした外側片部１５の上端部から斜め下方に向けて環状の弾性当り片１６を連出し、外側片部１５の上端部と弾性当り片１６の上端部との連設部分が下方に開口する環状の溝部１７となっている。    
更に、溝部１７の下方の弾性当り片１６の内面側の上部には、周方向の複数箇所にリブ１８を設けている。パッキン３０は、環状の溝部１７を筒部３の上端部にはめ込んで取付けられ、周方向の複数箇所においてリブ１８が溝部１７の下方において筒部３の上部内面に押接している。
【０００５】
このように、リブ１８を設けておくと、排水口２を筒部３にはめ込む際にパッキン３０の上部に排水口２の下端部が当たってもリブ１８によってパッキン３０の損傷を防止することができる。
【特許文献１】特開２００２−３４８９４１号公報
【発明の開示】
【発明が解決しようとする課題】
【０００６】
ところが、上記の便器排水装置の位置決め構造においても、便器自身が重いので便器を床フランジ接続部に対して正確な位置に組付けることは至難の業であり、芯が外れると稀にパッキン３０に損傷を与えてシール性が損なわれるという問題があった。
【０００７】
そこで、本発明は、便器を排水アジャスタに固着するための位置決めが確実且つ容易にできる便器排水装置を提供することを目的とする。
【課題を解決するための手段】
【０００８】
請求項１の発明は、ボウルから延びる排水管部に固定された固定端部と、駆動源からの回転力が伝達されて上下方向に回転可能とされた自由端部とを有する封水トラップが配設された便器排水装置において、前記封水トラップは排水部が形成される略矩形状の基部を下方に備えるケース本体部に収納されるとともに、前記ケース本体部の基部は、床面上に設けられる排水アジャスタの排水口が形成された略矩形フランジ状の受部の上に固着され、前記ケース本体部を前記排水アジャスタに固着する際の位置決めガイドとしての凸部が前記ケース本体部の基部および前記排水アジャスタの受部のうち一方の外縁の四隅に垂直方向に突出して設けられるとともに、前記凸部と当接する凹部が前記ケース本体部の基部および前記排水アジャスタの受部のうち他方の外縁の四隅に設けられ、前記凸部は前記凹部に沿ってガイド挿入される湾曲面を備えることを特徴としている。
【発明の効果】
【００１０】
請求項１の発明によれば、前記ケース本体部の基部は、床面上に設けられる排水アジャスタの排水口が形成された略矩形フランジ状の受部の上に固着されるが、このとき、前記ケース本体部を前記排水アジャスタに固着する際の位置決めガイドとしての凸部が前記ケース本体部の基部および前記排水アジャスタの受部のうち一方の外縁の四隅に垂直方向に突出して設けられるとともに、前記凸部と当接する凹部が前記ケース本体部の基部および前記排水アジャスタの受部のうち他方の外縁の四隅に設けられる。また、前記凸部は前記凹部に沿ってガイド挿入される湾曲面を備えている。
【００１１】
このため、凹部と凸部によって、前記ケース本体部を前記排水アジャスタに徐々に所定の位置までガイドしながら挿入するので位置決めが確実且つ容易にできる。そして、パッキンに損傷を与えることがないのでシール性を確保することができる。
【発明を実施するための最良の形態】
【００１４】
以下に、本発明の実施形態を図に基づいて説明する。
【００１５】
＜便器排水装置の構成＞  
図１に示すように、本発明の実施形態における便器排水装置３１は、便器３２のボウル３３から延びる排水管部３４に固定された固定端部３５ａと、図示しないモータ等の駆動源からの回転力が伝達されて矢印Ｑで示すように上下方向に回転可能とされた自由端部３５ｂとを有する封水トラップ３５が配設される。
【００１６】
そして、封水トラップ３５は下方に排水部３６ａを備えるケース本体部３６に収納され、ケース本体部３６の上部はメンテナンス等に便利なようにフランジ５０を介して開放可能な蓋部４９になっている。
【００１７】
このケース本体部３６は床面３７上に設けられる排水アジャスタ３８に固着されるが、排水アジャスタ３８の四隅部に凹部５７と封水トラップ３５のケース本体部３６に凸部５２が設けられ、この凹部５７と凸部５２によって排水アジャスタ３８と封水トラップ３５が容易に位置合わせできる。排水アジャスタ３８は外部排水管４１と繋がる床フランジ接続部４２に横引管４３を介して固着される。
【００１８】
ここで、便器３２の後部の内部には収納空所部３２ａが設けられ、この収納空所部３２ａ内にケース本体部３６が収納される。便器３２の後部上面にはボウル３３に給水するための給水手段４０が配置され、図示しない給水電磁弁を介して水道管に接続している。
【００１９】
ケース本体部３６の一側壁３６ｂには封水トラップ３５の外径に略等しい取付孔４４が設けてあり、取付孔４４に回動且つ上下反転自在な封水トラップ３５が挿入して取付けられる。さらに、封水トラップ３５の固定端部３５ａをケース本体部３６から外部に突出し、ボウル３３の後端部に形成したボウル排水口３３ａに外嵌するとともに、固定端部３５ａの外周をホースバンド等によって締めつけて固定される。
【００２０】
なお、封水トラップ３５は樹脂、ゴム等の軟質の材料で蛇腹状のホースであり伸縮および屈曲自在で、封水トラップ３５の大部分はケース本体部３６内に配置される。
【００２１】
封水トラップ３５の自由端部３５ｂには支持部材４５が固定されており、支持部材４５は封水トラップ３５の外側に延設される回転軸４７がケース本体部３６の軸孔４７ａを貫通し、図示しない減速機、クラッチ手段等を介してモータに連結される。
【００２２】
「便器排水装置の動作」
封水トラップ３５の自由端部３５ｂは通常上方を向いて配置されているので、ボウル３３内部は、この自由端部３５ｂまでの高さに水が溜められて封水状態である。用便後に便器洗浄をスイッチ入力すると、ボウル３３には洗浄水が供給される。
【００２３】
このとき、たとえば２〜３秒後にモータが正回転に作動して自由端部３５ｂが下方向に回転して受部５５の排水孔５５ｂと対面した位置でモータが停止し、汚物は溜水とともに排出される。
【００２４】
汚物が完全に排出されると、モータが逆回転し、封水トラップ３５の自由端部３５ｂは上方向に回転して内部に水が溜められ再度封水状態に戻る。
【００２５】
図２、図３、図４に示すように、ケース本体部３６の排水部３６ａを形成する略矩形状の基部５１の四隅部下部５１ａに排水アジャスタ３８に固着する際の位置決めガイドとしての凸部５２が設けられる。
【００２６】
凸部５２は卵形状（三次元形状）の湾曲面を備えているので、凸部５２の湾曲面が凹部５７に沿って三次元にガイド挿入できるので、ケース本体部３６を下降する動作に連動して排水アジャスタ３８の位置に四隅から徐々に連続的にガイドして所定の位置まで挿入することができる。
【００２７】
いま、凸部５２の卵形状の湾曲面は平面上のＸ、Ｙ方向にそれぞれＳ＝略１５ｍｍの領域、高さＺ方向にＨ＝略２０ｍｍの領域で形成される。このように、位置決めが確実且つ容易にできるので基部５１（ケース本体部３６）はピンポイント的に排水アジャスタ３８に位置合わせができる。
【００２８】
基部５１の一対の対向する辺の中央部には排水アジャスタ３８との固着用のボルト５３が挿入されるボルト穴５３ａが形成される。本実施例では中央の一対のボルト穴５３ａだけが実際に使用されるが、その両側には二対の予備穴５３ｂが用意されており、予備穴５３ｂには実際のボルト穴は開けられず薄板状に形成されて使用時にボルト穴が簡単に開けられるようになっている。基部５１中央部の排水部３６ａの周りには、後述する排水アジャスタ３８の受部５５に設けられるパッキンが当接する領域６１を備える。
【００２９】
なお、基部５１から下方にベース５４が延設されているが、これは排水アジャスタ３８が使用されずケース本体部３６を床面３７に直接設置する場合にも兼用できるように設けられたものであり本実施例では使用されない。
【００３０】
排水アジャスタ３８は略矩形フランジ形状の受部５５と、床に固着するベース５６と、受部５５とベース５６間に挟まれる排水部６５とからなる。受部５５の中央部には排水孔５５ｂと排水部６５の一側面６５ａに横引管４３を挿入するための挿入口６５ｂとを備え、ケース本体部３６からの排水を横引管４３によってその排水方向を９０度変えることができる。
【００３１】
受部５５の四隅部５５ａにはケース本体部３６の基部５１を所定の位置までガイドするために凸部５２と当接する略平面状の凹部５７が形成され、中央部には排水孔５５ｂを囲んで図示しないパッキンが挿入されるパッキン溝５８が設けられる。
【００３２】
受部５５の対向する辺５５ｃには上記ボルト５３と螺合するための図示しないナットを保持するためのＵ字形のナット挿入部５９が各３箇所形成される。なお、実施例では、上記基部５１の一対の辺の中央部のボルト穴５３ａに対応して、中央の一対のナット挿入部５９だけが実際に使用される。
【００３３】
＜便器排水装置の作用＞  
上記のように、卵形状（三次元形状）の湾曲面を備えた四隅の凸部５２は、この卵形状の勾配によって排水アジャスタ３８の凹部に沿って連続的に下降しながらガイドされて所定の位置まで正確に挿入することができるので、ケース本体部３６（基部５１）はピンポイント的に排水アジャスタ３８に位置あわせができる。
【００３４】
ケース本体部３６（基部５１）はピンポイント的に排水アジャスタ３８に位置あわせができるのでパッキン溝５８のパッキンに損傷を与えることがなく、パッキンが領域６１に圧接して確実なシール（水封）性を得ることができる。
【００３５】
なお、凸部５２の卵形状（三次元形状）が製作誤差により所定以上の勾配を持つ場合には、凸部５２は排水アジャスタ３８の凹部に沿って下降する途中で止まってしまって便器３２そのものが床３７まで下降できない。このため、凸部５２を再調整する必要があることが容易に判断できるので便器３２を不良位置に据付けてしまうことが未然に防げる。その結果確実な施工が実施できる。
【００３６】
以上、本発明の実施形態を図面に基づいて説明したが、上記の実施例はいずれも本発明の一例を示したものであり、本発明はこれらに限定されるべきでないということは言うまでもない。例えば、排水アジャスタ３８に凹部５７と封水トラップ３５のケース本体部３６に凸部５２を設ける替わりに、排水アジャスタに凸部と封水トラップのケース本体部に凹部を設ける構成も可能である。
【図面の簡単な説明】
【００３７】
【図１】本発明の実施形態における、便器３２の便器排水装置３１の配置を示す側面透視図である。
【図２】本発明の実施形態における、ケース本体部３６とベース５４の斜視図である。
【図３】本発明の実施形態における、図２のＢ−Ｂ矢視図である。
【図４】本発明の実施形態における、排水アジャスタ３８の斜視図である。
【図５】従来の便器１の、（ａ）は、排水口２を筒部３に嵌めこむ状態の分解斜視図、（ｂ）はパッキン３０の平面図である。
【符号の説明】
【００３８】
３１  便器排水装置
３２  便器
３３  ボウル
３４  排水管部
３５  封水トラップ
３５ａ  固定端部
３５ｂ  自由端部
３６  ケース本体部
３６ａ  排水部
３７  床面
３８  排水アジャスタ
４１  外部排水管
４２  床フランジ接続部
４３  横引管
５２  凸部
５７  凹部
【図１】
0004626465.tif 000002
【図２】
0004626465.tif 000003
【図３】
0004626465.tif 000004
【図４】
0004626465.tif 000005
【図５】
0004626465.tif 000006